(57)【要約】【課題】  被収容物を収容する紙製の包装容器に対する被収容物の収容とその取り出しとを容易にすると共に、容器開口辺を破断し辛くし、陳列（ディスプレー）時の見栄えを良くすること。【解決手段】  加熱接着性樹脂を満遍なく被着した方形の複合紙１を樹脂被着面２を内側にして折り線３から折り返し、その両側縁４を上記折り線に向かう斜辺５を内側に有するヒートシール部６で側縁上部を除いて接着した。【選択図】  【図１】
0003107783.tif 000002
【実用新案登録請求の範囲】
【請求項１】
加熱接着性樹脂を満遍なく被着した方形の複合紙を樹脂被着面を内側にして折り線から折り返し、その両側縁を前記折り線に向かう斜辺を内側に有するヒートシール部で側縁上部を除いて接着した紙製包装容器。
【請求項２】
前記紙製包装容器の開口縁を若干ずらせて前記複合紙を折り返すことで、指掛け部を形成した請求項１に記載の紙製包装容器。
【請求項３】
前記ヒートシール部が，上下平行な二辺のうち長辺が折り線位置と一致し、これら二辺と直角の垂直辺が前記折り返し両側縁と一致する形状である請求項１または請求項２に記載の紙製包装容器。
【請求項４】
前記ヒートシール部が、平行な二辺のうち長辺が短辺の長さの２．５倍程度で垂直辺が短辺の長さの３倍程度の長さとすることで、深皿状の紙製包装容器となした請求項１から請求項３までのいずれか一つの請求項に記載の紙製包装容器。
【請求項５】
前記ヒートシール部が、平行な二辺のうち長辺の長さが短辺の５倍程度で垂直辺が短辺の長さの２倍程度とすることで、浅皿状の紙製包装容器となした請求項１から請求項３までのいずれか一つの請求項に記載の紙製包装容器。
【請求項６】
前記ヒートシール部が、平行な二辺のうち長辺が短辺の２倍程度で垂直辺が短辺の長さの５倍程度とすることで、茶碗状の紙製包装容器となした請求項１から請求項３までのいずれか一つの請求項に記載の紙製包装容器。
【請求項７】
前記ヒートシール部の斜辺を弯曲させた請求項１から請求項６までのいずれか一つの請求項に記載の紙製包装容器。
【考案の詳細な説明】
【技術分野】
【０００１】
本考案は、ハンバーグやドーナツとかパンのような被収容物を収容する紙製の包装容器に係り、特に上記容器に対する被収容物の収容とその取り出しとを容易にすると共に、容器内収容物の陳列（ディスプレー）時の見栄えが良い紙製包装容器に関する。
【背景技術】
【０００２】
ハンバーグやドーナツとかパンのような被収容物を包む紙製の包装袋としては、下記特許文献および非特許文献に記載のものが有り、特許文献１に記載のものは、内部を収容部とした通気性素材によって袋状に形成した内袋と、該内袋に外接し非通気性素材によって袋状に作成した外袋と、前記内袋と外袋間に設けた緩衝室と外袋外部とを連通する小孔を儲けた焼きおにぎりやハンバーグ等の保水型食品を収容する包装用袋である。
【０００３】
非特許文献１には、長方形状耐油紙の一方の短尺側辺と、一方の長尺側辺をこれらの辺で成す隅部を二分する折罫で前記両辺が重合するように二つ折りし、前記両辺の重合部分を接着した三角形状の袋本体に、この袋体の前記接着個所に、この接着時にハンバーグを食した際口周りの汚れを拭うためのナプキンの一辺を一緒に接着したハンバーグ用の袋の記載が有る。
【０００４】
非特許文献２に記載のものは、ハンバーグ等の食品の挿入を容易にするため、側方だけに「まち」を設けた包装容器の入口部分で前記「まち」の両側部分の一部を開放状態にして、一方開きまたは二方開きにした紙製包装容器である。
【０００５】
【特許文献１】特開平６−２３７７４３号公報
【非特許文献１】実用新案登録第２５３９７３５号公報
【非特許文献２】実開平５−３５６６６号公報
【考案の開示】
【考案が解決しようとする課題】
【０００６】
特許文献１の食品等保水型被収容物の包装用袋は、焼きおにぎりやハンバーグ等の保水型食品を過熱した際発生する水蒸気を逃がして袋内のべた付きを無くす上では有効でも、ハンバーグやパンとかドーナツ等の被収容物を収容する容器としては、その収容と取り出しとが面倒で、容器内収容物の陳列時の見栄えが悪いという問題が有る。
【０００７】
前記非特許文献１に記載のハンバーグ用の袋は、その形状が中空逆円錐形なので、被収容物の収容と取り出しとは簡単であるが、ハンバーグやドーナツとかパン等の被収容物を収容した場合、その載置平面上に斜めに倒れるため転がり易く、容器内収容物の陳列時の見栄えが極めて悪いという問題が有る。
【０００８】
前記非特許文献２に記載の紙製の包装袋は、ハンバーグやドーナツとかパン等の被収容物を収容する場合収容し易さはあるが、包装容器を形成するパーツと接着個所が多くコストが嵩み、「まち」となる側面部材と上下側面部材とのヒートシール部分の幅が非常に狭いので被収容物を収容する際裂破し易く、その収容と取り出しとが面倒で、容器内収容物の陳列時の見栄えが悪いという問題が有るし、開口側に複数のフラップあり、これらが重なり合っているので開口収容物を食し難いという問題が有る。
【０００９】
本考案は、ハンバーグやドーナツとかパンのような被収容物を収容する紙製の包装容器に対する被収容物の収容とその取り出しとを容易にすると共に、容器開口辺を破断し辛くし、陳列（ディスプレー）時の見栄えを良くすることを目的とする。
【課題を解決するための手段】
【００１０】
上記した本考案の目的は、加熱接着性樹脂を満遍なく被着した方形の複合紙を樹脂被着面を内側にして折り線から折り返し、その両側縁を前記折り線に向かう斜辺を内側に有するヒートシール部で側縁上部を除いて接着したことで達成できた。
【００１１】
なお、前記ヒートシール部を平行する二辺のうちの長辺が、折り線の位置と一致し、これら二辺と直角をなす垂直辺を前記側縁一致させると共に、ヒートシール部６の平行な二辺のうち、長辺を短辺の２倍程度で垂直辺が短辺の長さの３倍程度とすること、また前記長辺が、短辺の２倍程度で垂直辺が短辺の長さの５．５倍程度とすること、さらに前記長辺の長さが、短辺の５倍程度で垂直辺が短辺の長さの２倍程度とすることでも、それぞれ前記各文献記載に関わる問題点は解決できた。
【考案の効果】
【００１２】
本考案は、以上のような手段を採用したので、以下に記載の効果を奏する。
本考案の紙製包装容器は、請求項１記載のように、加熱接着性樹脂を満遍なく被着した方形の複合紙を樹脂被着面を内側にして折り線から折り返し、その両側縁を前記折り線に向かう斜辺を内側に有するヒートシール部で側縁上部を除いて接着したので、その製作に当たっては、上記方形の複合紙を二つ折りして左右２箇所をヒートシール部で接着するだけで製品化できるので安いコストで提供でき、ハンバーグやドーナツ等の被収容物を収容したい時に開口辺が上記斜辺により、無理なく広がると共に、底辺中央を部分的に平坦化できるから、平面上に安定に載置でき、斜めに倒れることも無く、容器内収容物の陳列時の見栄えを良くできるし、前記ヒートシール短辺部分に幅を持たせたので、被収容物収容時にヒートシール部が裂破し難く、安全に使用できるという優れた効果が有る。
【００１３】
本考案における請求項２の考案によれば、前記諸効果に加え、前記紙製包装容器の開口縁を若干ずらせて前記複合紙を折り返して指掛け部を作ったので、折り畳み状態から紙製包装容器として手指で摘み広げ易くなったので、店頭使用に当たり大変便利になったという効果を付加でき、本考案における請求項３のように、前記ヒートシール部を上下平行な二辺のうち長辺が折り線位置と一致し、これら二辺と直角の垂直辺が前記折り返し両側縁と一致する形状とすれば、ヒートシール部の外側に無用な食み出し部分が無くなり、より一層見栄えの良い紙製包装容器となったという効果を付加できた。
【００１４】
また、本考案における請求項４のように、前記ヒートシール部を、平行な二辺のうち長辺が短辺の長さの２倍程度で垂直辺が短辺の長さの３倍程度の長さとすれば、深皿状の紙製包装容器を簡単に得ることができ、唐揚げ等の然程大きくない塊状の被収容物を収容する際容器の内部に入れ易く、展示に当たっても被収容物がより一層見易くなったという効果を付加でき、さらに本考案における請求項５のように、ヒートシール部を、平行な二辺のうち長辺の長さが短辺の５倍程度で垂直辺が短辺の長さの２倍程度のとすれば、浅皿状の紙製包装容器を簡単に得ることができるから、被収容物を横に寝せて入れることができ、ヒートシール部を持って外側に引けば開口辺が狭まり横になっている被収容物が縦向きになり購入者は被収容物を食し易くなるという効果を付加できた。
【００１５】
さらに本考案における請求項６のように、前記ヒートシール部を、平行な二辺のうち長辺が短辺の長さの２倍程度で、平行な二辺と直角な垂直辺を短辺の長さの５倍程度とすることで、茶碗状の紙製包装容器を簡単に得ることができ、ソーセイジやポテトチップス等細長い被収容物を収容する際容器の内部に入れ易く、ヒートシール部分の範囲が開口近くまで高くかつその幅が広いので被収容物収容時にヒートシール部が裂破し難いという効果を付加でき、また本考案における請求項７のように、ヒートシール部の斜辺を弯曲させることで、展開状態の側縁部分の形態に種々の変化を持たせることができるという効果を付加できた。
【考案を実施するための最良の形態】
【００１６】
本考案を実施するための最良の形態としては、図１・図２のようにポリエチレンのような加熱接着性樹脂を満遍なく被着した方形の複合紙１を樹脂被着面２を内側にして折り線３から図３のように折り返し、その両側縁４を前記折り線３のに向かう斜辺５を有するほぼ台形のヒートシール部６で上記図３のように側縁上部を除いて加熱加圧治具によりプレスして接着することで、図１のような本考案による紙製包装容器を構成できた。
【００１７】
なお、前記ヒートシール部６を平行する二辺のうちの長辺７Ａが、図３のように折り線３の位置と一致し、これら二辺と直角をなす垂直辺７Ｂを前記側縁４と一致させると共に、ヒートシール部６の平行な二辺のうち、長辺７Ａを図２の展開例鎖線・図３のように短辺７Ｃの２倍程度で垂直辺７Ｂが短辺７Ｃの長さの３倍程度とすること、また前記長辺７Ａが、図４の展開例鎖線のように短辺７Ｃの２倍程度で垂直辺７Ｂが短辺７Ｃの長さの５．５倍程度とすること、さらに前記長辺７Ａの長さが、図５の展開例鎖線のように短辺７Ｃの５倍程度で垂直辺７Ｂが短辺７Ｃの長さの２倍程度としてもよい。
【実施例】
【００１８】
本考案の紙製包装容器の一実施例としては、西洋紙や漉き和紙の一面に食品衛生上問題の無い例えばポリエチレン等の加熱接着性樹脂を加熱溶融被着したり、またはポリエチレン薄膜をラミネートした所謂ポリラミ紙などのハンバーグやドーナツ等の被収容物を包むことが可能な大きさの方形複合紙１をその樹脂被着面２を内側にして開口辺側の端縁が若干前後にずれる位置に設けた折り線３で図３のように折り返す。
【００１９】
次いで、上記折り返し両側縁４をその上部を除き接着するために、前記折り線３に向かう斜辺５を有するヒートシール部６を形成するのであるが、この場合には、上記図３のように側縁上部を除いて上記ヒートシール部６に対応した加熱加圧治具により、上記両側縁４をその上部を除いてプレスして前記加熱接着性樹脂を部分的に溶融することで、この加熱溶融後における樹脂の冷却固化溶着力で、特別の糊料を用いることなく、上記両側縁４をその上部を除いてヒートシール部６で接着できるから、複合紙１の両側縁部分の下部に被収容物の収容部８を形成でき、この収容部８に連接する二つの開口辺８Ａに前記収容部８と連接する２枚のフラップ９を形成した深皿状の紙製包装容器を得ることができた。
【００２０】
前記開口辺８Ａを開ける際、開け易くするためには上記開口辺８Ａの端辺のうちの一方を他方に対し前記図３のように５ｍｍ程度ずらせて指掛け部１０を形成することが好ましく、複合紙１の短辺が１３５ｍｍのとき、前記短辺７Ｃの長さが１０ｍｍ程度とした。
【００２１】
本考案の紙製容器は、以上のような構成で、その使用に当たっては、図１のように標準的な形状である深皿状の紙製包装容器を例に、この紙製包装容器内にハンバーグまたはドーナツとかパンのような被収容物を収容する場合について説明する。
【００２２】
先ず、図３のように扁平に折り畳んだ状態の紙製包装容器を図６のように容器の開口辺８Ａに設けた前記指掛け部１０を利用して開口辺８Ａを手指で広げれば、図１のように船形をした深皿状の紙製包装容器となる。
【００２３】
個売りで客がハンバーグまたはドーナツとかパンのような被収容物を直ぐに食すことを欲する場合には、開口辺８Ａを上記のように広げた後、両側のヒートシール部６を指で摘んで浅皿状に整えて紙製包装容器内にハンバーグまたはドーナツとかパンのような被収容物を開口辺が広がった紙製包装容器内に収容して客に手渡す。
【００２４】
販売のためにショーケース内で展示する場合には、紙製包装容器上のハンバーグまたはドーナツとかパンのような被収容物をお客側から良く見えるように、開口辺８Ａを前後により広げて皿状化した紙製包装容器内に横すなわち寝せた状態で収容して、展示トレー内に平置き状態となるように載せて店頭展示する。
【００２５】
この紙製包装容器内のポテトチップスやドーナツとかソーセージのような被収容物を販売する場合には、両側のヒートシール部６を指で摘んで内側に押し込めれば、開口辺８Ａが狭まり紙製包装容器内の前記ポテトチップスやドーナツとかソーセージなどの被収容物ATは、立てた状態で収容でき、前記フラップ９をも含めて紙製包装容器全体で被収容物を軽く包んで販売できる。
【００２６】
紙製包装容器内の被収容物を食す場合、紙製包装容器の開口辺８Ａに形成するフラップ９をそれぞれ外側に折り曲げることで被収容物は紙製包装容器から表出し過半分をこの状態で食すことができる。
【００２７】
前記浅皿状または茶碗状の紙製包装容器の場合も、ハンバーグまたはドーナツよりもブロック容積の小さい鳥の唐揚げや長さがあるポテトチップスを前述したハンバーグまたはドーナツとかパンの場合と同様に展示し販売に利用できる。
【産業上の利用可能性】
【００２８】
本考案の紙製包装容器は、ハンバーグまたはドーナツとかパンなどの食品以外に、身辺細具やアクセサリーのような被収容物を収容して展示販売することが可能である。
【図面の簡単な説明】
【００２９】
【図１】本考案による紙製包装容器の使用例を示す斜視図
【図２】本考案による複合紙の例を示す展開図
【図３】本考案による紙製包装容器の折り畳み状態を示す立面図
【図４】本考案による複合紙の他の例を示す展開図
【図５】本考案による複合紙のさらに他の例を示す展開図
【図６】図３に示すものを広げる途中の状態を示す斜視図
【符号の説明】
【００３０】
１…加熱接着性樹脂を被着した複合紙
２…加熱接着性樹脂被着面
３…折り線
４…両側縁
５…ヒートシール部の斜辺
６…ヒートシール部
７Ａ…ヒートシール部の長辺
７Ｂ…ヒートシール部の垂直辺
７Ｃ…ヒートシール部の短辺
８…収容部
８Ａ…開口辺
９…フラップ
１０…指掛け部
【図１】
0003107783.tif 000003
【図２】
0003107783.tif 000004
【図３】
0003107783.tif 000005
【図４】
0003107783.tif 000006
【図５】
0003107783.tif 000007
【図６】
0003107783.tif 000008